(57)【特許請求の範囲】
【請求項１】
記入欄が設けられた用紙に対して電子ペンを用いて記入することで、電子ペンにより生成され送信された記入情報を受信し処理する端末装置であって、
電子ペンからの記入情報を受信する受信手段と、
前記記入欄に対する記入開始時刻から記入最終時刻までの時間から、当該記入欄外に電子ペンで記入されていた時間、電子ペンにより記入されていない時間、又は電子ペンとの通信が確立していなかった時間のうち、少なくともいずれか１つを差し引いて、記入時間を計測する処理手段と
を備えることを特徴とする端末装置。
【請求項２】
前記用紙には、複数の記入欄が設けられ、
前記処理手段は、記入欄ごとに記入時間を計測することを特徴とする請求項１に記載の端末装置。
【請求項３】
コンピュータを、請求項１又は２に記載の端末装置として機能させることを特徴とするプログラム。
【発明の詳細な説明】
【技術分野】
【０００１】
本発明は、電子ペンによる記入進捗を管理する端末装置及びプログラムに関し、特に、複数の電子ペンから送信される記入情報を集約的に処理する端末装置及びプログラムに関する。
【背景技術】
【０００２】
従来、手書きで記入した情報を電子ペンにより電子データ化するシステムが種々実現されている。例えば、電子カルテシステムや電子学習システムや電子採点システムがある。タブレット式の電子ペンの入力端末を用いると、記入した用紙が残らないので、タブレットに紙を重ねておいて書く必要がある。また、端末操作が必要であり、紙と同じようには使えない。さらに、端末を置くスペースを確保する必要もある。
【０００３】
そこで、紙に書くのと同じ要領で使える電子ペンが開発された。このような電子ペンとしては、スウェーデンのアノト（Ａｎｏｔｏ）社が開発したアノトペン（Ａｎｏｔｏ  ｐｅｎ）がよく知られている。アノトペンは、所定のドットパターン（コード化パターン）が印刷された専用紙（専用ペーパー、アノトパターン紙）とともに使用される。アノトパターン紙には、非常に小さなドット（約０．３ｍｍの間隔で格子状）で構成されるパターンが印刷されている。このパターンで電子ペンが座標を取得する。帳票のフォームを印刷したアノトパターン紙に文字などを書くことで、どこに何が書かれていたかを読み取ることができる。
【０００４】
アノトペンのペン先部には、インクカートリッジと超小型カメラがある。ペン内部には、プロセッサとデータ通信ユニットなどを搭載している。利用者が専用紙上にアノトペンで文字等を書けるし、専用紙上に図案化されている画像にチェックマークを記入できる。普通のボールペンと何ら変わりなく使えるので、書いたものを普通紙の上に残すことができる。記入の際、ペンの移動に伴って、専用紙に印刷されたドットパターンを、超小型カメラで撮影する。撮影したドットパターンに基づいて、専用紙における位置座標を取得する。こうして、アノトペンは、ペン先の超小型カメラで、専用紙に書かれた情報を、デジタル情報としてペン内に取り込む。取得された位置座標等を、アノトペンのデータ通信ユニットで、近くのパーソナルコンピュータや携帯電話などの端末装置に送信する。利用者が書き込んだ文字や絵柄などの記入情報が、連続する位置座標に基づいて端末装置で認識される（特許文献３）。
【０００５】
アノトペンで取得できる情報は、ペン先の専用紙上の位置情報、ペンの軌跡（ストローク）、書く速さ、筆圧、書いた時刻、ペンの傾きなどである。アノトペンから端末装置に入力したデータを文字認識して文字列に変換し、専用紙上の座標と取得データを関連付けて、データベースで管理できる。さらに、帳票のレイアウトと専用紙にレイアウトした記録項目の定義を行うことで、通常用紙の帳票とほとんど変わらない運用ができる。
【０００６】
このような電子ペンを用いて、模擬試験などの採点した結果を効率よく集計する学習採点システムなどが提案されている（特許文献７）。また、複数の受講者の共有学習データを記憶装置に記憶しておき、受講者端末からのアクセスに応じて学習データを提供するシステムも提案されている（特許文献２）。また、受講者が電子ペンによって問題用紙に解答を記入し、各電子ペンで記入された記載内容を、同一の問題用紙ごとにまとめてファイルを作成して記憶するシステム等も提案されている（特許文献１０）。以下に、学習システムや電子ペンに関連する従来技術の例をいくつかあげる。
【０００７】
特許文献１に開示された「電子採点システム」は、多数の答案用紙から読み取った解答イメージを設問ごとにまとめ、採点者の能力に応じた設問の解答を採点させることで、採点の作業を単純化し、能率を上げるものである。多数の答案用紙をイメージ・スキャナで読み取り、一つの答案用紙にある多数の解答イメージを切り出す。解答イメージを問題ごとにファイルする。このファイルは、サーバーに送られる。判定用クライアントにおいて問題番号を入力すると、その問題のファイルの解答イメージが、クライアントのＣＲＴに表示される。この表示をみて、採点者は正誤の判定を行う。判定結果は、サーバーにおいて受験者ごとに集計される。
【０００８】
特許文献２に開示された「協調学習システム」は、複数の学習者間における協調学習効果を向上させるものである。協調学習データを、複数の学習者間で共有する。学習者クライアントに対応して、協調学習作業データへのアクセス要求を検知する。学習者クライアントに対応して、協調学習データのアクセス要求数を算出する。複数の学習者クライアント間のアクセス要求数を比較し、その比較結果に応じて、インストラクタクライアントや学習者クライアントへ比較結果を通知する。
【０００９】
特許文献３に開示された「光学読み取り用の符号化用紙」は、複数のマークを備えた符号化パターンを有する用紙である。マークのそれぞれが、異なる値のうちの１つを表している。符号化パターンには、複数の基準位置がある。複数のマークのそれぞれが、１つの基準位置に関連付けられている。各マークの値は、基準位置に対する位置によって決定される。
【００１０】
特許文献４に開示された「情報処理装置」は、電子ペンで紙に書かれた筆跡を、時系列の位置データにして、記入条件の違いを第３者が容易に識別できるようにしたものである。紙の識別情報と、電子ペンの識別情報と、時系列位置情報からなる筆跡情報と、受付けた時刻情報と、紙面の領域を区分する属性情報が与えられる。これらの情報を組み合わせて情報処理を行う。情報処理の結果に従って、特徴を区別して表示する。
【００１１】
特許文献５に開示された「会議支援協調作業システム」は、各会議参加者が着席のまま、並行して共用表示装置に書き込みを行うことができ、もって会議の進行を促すと同時に、参加者に協調作業環境を与えるものである。共用表示サーバーは、複数の参加者によって共用される表示が行われる共用表示装置を制御する。共用表示サーバーに、複数参加者端末がローカルエリアネットワークを介して接続されている。複数参加者端末は、ローカルモードでは、ポインティングデバイスが操作されることにより、参加者用表示装置上のカーソル制御を行う。それと共に、リモートモードでは、ポインティングデバイスが操作されることにより、共用表示装置上のカーソル制御を行う。リモートモードでは、複数の参加者端末から並行して、共用表示装置上のカーソル制御及び書き込みを行えるようにして、会議の進行を図る。
【００１２】
特許文献６に開示された「漢字書き順学習システム」は、電子ペンを利用して、漢字の書き順を正しく修得するものである。電子ペンで、学習者が漢字練習用紙に漢字を記入した場合に、漢字練習用紙から漢字を書いた際の書き順に関するストロークデータを取得する。取得されたストロークデータを無線通信により送信する。電子ペンから送信されたストロークデータを受信する。書き順記録データベースには、各漢字の正しい書き順に関する書き順データが記録されている。電子ペンから受信したストロークデータと、書き順記録データベースに記録された書き順データとを比較して、学習者の漢字の書き順が正しい書き順であるか否かを判定する。
【００１３】
特許文献７に開示された「採点システム」は、電子ペンを使用することにより、模擬試験などの採点結果を効率的かつ正確に取得し、集計などの処理を行うことが可能なものである。受験者などが解答を記入した解答用紙に対して、採点者が電子ペンにより、マル、バツなどの採点記号を記入して採点を行う。解答用紙上に描かれた採点記号のストロークは採点データとして取得され、採点システムに入力される。採点データから採点記号及び訂正記号に対応するストロークを抽出し、個々の採点記号及び訂正記号の特徴を示す記号情報を参照することにより、当該ストロークを認識する。認識結果としては、当該ストロークに対応する採点記号又は訂正記号が特定される。そうして得られた認識結果に基づいて、採点結果が特定され、出力される。よって、採点者が解答用紙上に電子ペンで採点記号などを記入するだけで、採点結果のデータが生成され、その後の集計や分析などに使用できる。
【００１４】
特許文献８に開示された「情報処理装置」は、１枚の紙に複数の電子ペンで協働作業を行うことができるものである。１枚の紙に書き込む複数の電子ペンから情報を受信する。その情報に基づいて、ペン識別子と媒体識別子と記載情報を取得し、ペン識別子と媒体識別子と記載情報を対応付けて蓄積する。１枚の紙に複数人で記載した情報を利用して、複数人の協働作業ができる。例えば、生徒の解答と先生の採点やコメントが、媒体識別子により自動的に関連付けられる。テストの解答と採点結果などを合成して出力できる。
【００１５】
特許文献９に開示された「電子ペンシステム」は、ドットパターンが印刷された用紙上に電子ペンで記入した内容を、種々の形態で電子ドキュメントに反映させるものである。電子ドキュメントを印刷した面とその裏面に、ドットパターンを格子状に印刷した用紙を用いる。電子ペンで撮影したドットパターンの配列状態をもとに、自身の位置情報を用紙毎に取得する。電子ペンで記入された記入内容を、位置情報をもとに取得する。取得した記入内容を、電子ドキュメントに反映させる。
【００１６】
特許文献１０に開示された「書類管理システム」は、個々の利用者が同一用紙上に記入した内容を、より詳細に管理するものである。端末装置の処理部が、電子ペンから、各問題用紙の用紙識別子と、問題用紙上の位置に対応する各利用者の記入内容と、利用者識別子とを受信するたびに、用紙識別子の問題用紙ごとに各利用者識別子の利用者の記入内容を当該問題用紙上の位置に記録した利用者別用紙ファイルを作成して記憶部に記憶する。また、処理部は、同一の問題用紙に関する利用者別用紙ファイルを記憶部から抽出し、当該利用者別用紙ファイルから、同一の問題用紙ごとに全利用者の記入内容を、当該問題用紙上に合成した全利用者合成ファイルを作成して記憶部に記憶する。そして、処理部は、入力部からの要求に応じ、記憶部から全利用者合成ファイルを読み出して表示部に出力する。
【００１７】
特許文献１１に開示された「採点方法」は、受講生が解答する時間や振る舞いを考慮した柔軟な採点ができる方法である。電子ペンから、電子ペンの軌跡を示す座標情報とペン識別子とを含むペン情報を受信する。座標情報から記載情報を取得する。ペン情報を受信した時刻を取得する。記載情報と時刻に基づいて、得点を算出する。得点を、ペン情報と対応付けて蓄積する。こうして、受講生の解答時間や振る舞いを考慮した柔軟な採点ができる。
【先行技術文献】
【特許文献】
【００１８】
【特許文献１】特開２０００−１２２５１７号公報
【特許文献２】特開２００２−３２３８４７号公報
【特許文献３】特表２００３−５１１７６１号公報
【特許文献４】特開２００３−３０８１６９号公報
【特許文献５】特開２００４−０２１５９５号公報
【特許文献６】特開２００４−０４５８４４号公報
【特許文献７】特開２００４−２０６２９５号公報
【特許文献８】特開２００４−２５２６８９号公報
【特許文献９】特開２００６−１２７３９６号公報
【特許文献１０】特開２００６−２４４０５５号公報
【特許文献１１】特開２００７−１０２８１７号公報
【発明の概要】
【発明が解決しようとする課題】
【００１９】
しかし、上記従来の教育システムでは解決できない問題がある。例えば、問題を解くのにかかる時間を計測する場合に、単に、記入開始時間と記入終了時間の差分を求めても、必ずしも正確ではなかった。そこで、本発明は、電子ペンで用紙に記入したときの、実質的な記入時間を計測することを目的とする。
【課題を解決するための手段】
【００２０】
上記課題を解決するために、本発明に係る端末装置は、
記入欄が設けられた複数の用紙に対して電子ペンを用いて記入することで、電子ペンにより生成され送信された記入情報を受信し処理する端末装置であって、
電子ペンからの記入情報を受信する受信手段と、
前記記入欄に対する記入開始時刻から記入最終時刻までの時間から、当該記入欄外に電子ペンで記入されていた時間、電子ペンにより記入されていない時間、又は電子ペンとの通信が確立していなかった時間のうち、少なくともいずれか１つを差し引いて、記入時間を計測する処理手段と
を備えることを特徴とする。
【００２１】
この構成によれば、記入欄における記入開始時刻から記入最終時刻までの間にも、当該記入欄外に電子ペンで記入する場合もあり、また、電子ペンにより記入されず記入欄への記入が中断している場合もあり、あるいは、電子ペンとの通信が確立していない場合もあるため、これらの時間を多少でも差し引くことで実質的な記入時間を計測することができる。
【００２２】
さらに、前記用紙には、複数の記入欄が設けられ、前記処理手段は、記入欄ごとに記入時間を計測するよう構成するとよい。この構成によれば、各記入欄について記入時間を計測することができる。
【００２４】
また、本発明に係るプログラムは、コンピュータを、上記端末装置として機能させることを特徴とする。本プログラムを端末装置にインストールすることで、本発明の端末装置を構成させることができる。
【発明の効果】
【００２５】
本発明によれば、電子ペンで用紙の記入欄に記載したときの、実質的な記入時間を計測することができる。
【図面の簡単な説明】
【００２６】
【図１】本発明に係る第１実施形態における進捗管理システムの概念図である。
【図２】第１実施形態に用いられる解答用紙を示す図である。
【図３】ドットパターンの変換値を説明するための図である。
【図４】ドットパターンの変換を説明するための図である。
【図５】電子ペンの構成を示す図である。
【図６】集約装置及び転送装置の機能ブロック図を含む進捗管理システムのシステム構成図である。
【図７】進捗管理システムの処理手順を示すフローチャートである。
【図８】解答用紙への解答記入状況を示す図である。
【図９】集約装置における進捗状況一覧表示の表示画面を示す図である。
【図１０】集約装置における選択一覧表示の表示画面を示す図である。
【図１１】集約装置における詳細記入状況表示の表示画面を示す図である。
【図１２】集約装置において解答時間を求める処理方法を説明する図である。
【図１３】本発明に係る第２実施形態のシステム概念図である。
【図１４】メッセージ・シートへの記入状況を示す図である。
【図１５】集約装置における進捗状況一覧表示の表示画面を示す図である。
【発明を実施するための最良の形態】
【００２７】
以下、本発明を実施するための最良の実施形態について、図面を参照しながら詳細に説明する。
【００２８】
＜第１実施形態＞
本発明に係る第１実施形態は、問題演習授業の受講者の電子ペンからのデータを、直接または転送装置経由で集約装置（端末装置）に転送して集約処理し、各受講者の解答状況をリアルタイムに一覧表示する進捗管理システムである。
【００２９】
［進捗管理システムのシステム構成］
図１は、本実施形態における進捗管理システム１０のシステム構成図である。図１に示すように、進捗管理システム１０は、各受講者それぞれに配布される解答用紙５Ａ，５Ｂ，…（５）と、解答用紙５に解答を記入し、記入した情報を外部へ Bluetooth（登録商標) 等の無線で送信するための電子ペン１Ａ，１Ｂ，…（１）と、各電子ペン１から送信される記入情報を受信してディスプレイ（表示手段）に記入内容等を表示する集約装置（端末装置）３とを備える。なお、図１では、集約装置３は、電子ペン１Ａ〜１Ｃから直接、記入情報を受信しているが、記入される解答用紙５が多いために記入情報が送信される電子ペン１の本数が多い場合や、受講者が解答する会場が離れている等により無線通信の範囲外となるような場合は、他の電子ペン１Ｄ、１Ｅ、…から送信される記入情報を中継して集約装置３へ転送するための転送装置２を設けることができる。このとき、転送装置２から集約装置３へのデータの送信は、例えばＬＡＮ経由でＴＣＰ／ＩＰの通信方式で行うとよい。各電子ペン１には、アノトペンを利用することができ、転送装置２や集約装置３には、ラップトップパソコンなどを利用することができる。プロジェクター４は、集約装置３から表示情報を受信して、集約装置３の画面をスクリーン６へ投影表示する装置である。プロジェクター４には、液晶プロジェクターなどを利用することができる。
【００３０】
［解答用紙］
図２を参照して解答用紙５について説明する。各解答用紙５Ａ，５Ｂ，…（５）には、その略全面に、それぞれ同じパターンのドットパターン（コード化パターン）が印刷され、その上に、所属（クラス）や名前を記入する属性記入欄５０１、「問１」〜「問３」の各問題の解答を記入する解答欄（記入欄）５０２〜５０４等が印刷されている。ドットパターンは、赤外線を吸収するカーボンを含んだインキにより印刷され、各欄５０１〜５０４の枠線や文字は、赤外域に吸収性を持たないインキにより印刷される。
【００３１】
［ドットパターン］
次に、図３と図４を参照しながら、解答用紙５に印刷されたアノト方式のドットパターン（コード化パターン）について説明する。図３は、解答用紙５に印刷されたドットパターンのドットと、そのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、解答用紙５上の位置座標が決定されるように構成されている。
【００３２】
図４は、あるドットパターンの配列を示している。図４（ａ）に示すように、縦横約２ｍｍの範囲内に６×６個のドットが、解答用紙５上のどの部分から６×６ドットを取っても、ユニークなパターンとなるように配置されている。これら３６個のドットにより形成されるドットパターンは、位置座標（ドットパターンの解答用紙５上の位置）と、ドットパターンアドレス（コード化パターンアドレス）を保持している。図４（ｂ）は、図４（ａ）に示す各ドットを、格子の基準位置からのシフト方向によって、図３に示す規則性に基づいて、対応づけられた値に変換したものである。この変換は、ドットパターンの画像を撮影する電子ペン１によって行われる。
【００３３】
［電子ペン］
次に、図５を参照しながら、電子ペン１について説明する。図５に示すように、電子ペン１は、その筐体１０１の内部に、ＣＰＵ等により構成されるプロセッサ１０８と、ＲＯＭやＲＡＭなどのメモリ１０９と、アンテナや送信回路等により構成される通信ユニット１１１と、バッテリー１１２と、ＬＥＤ１０５と、ＣＭＯＳカメラ１０６と、リアルタイムクロック１１０と、圧力センサ１０７と、インクカートリッジ１０４とを備えている。インクカートリッジ１０４の先端は、ペン先部１０３となっており、各受講者は、電子ペン１のペン先部１０３を解答用紙５に当接させながら、所属（クラス）や氏名をその記入欄５０１に記入したり、設問の解答を解答欄５０２〜５０４に記入したりすることができる。
【００３４】
バッテリー１１２は、電子ペン１内の各部品に電力を供給するためのものである。例えば、磁石入りのキャップ（図示せず）の脱着を磁気センサ（図示せず）により検知して、電子ペン１自体の電源のオン／オフを行う。リアルタイムクロック１１０は、現在時刻（タイムスタンプ）を示す時刻情報を発信し、プロセッサ１０８に供給する。圧力センサ１０７は、受講者が電子ペン１により解答用紙５上に文字などを書く際に、ペン先部１０３からインクカートリッジ１０４を通じて与えられる圧力、即ち筆圧を検出し、その値をプロセッサ１０８へ送る。
【００３５】
プロセッサ１０８は、圧力センサ１０７から与えられる筆圧データに基づいて、ＬＥＤ１０５とＣＭＯＳカメラ１０６のスイッチのオン／オフを切り替える。即ち、受講者が電子ペン１で解答用紙５上に文字などを書くと、ペン先部１０３に筆圧がかかり、圧力センサ１０７によって所定値以上の筆圧が検出されたときに、プロセッサ１０８は、受講者が記入を開始したと判定して、ＬＥＤ１０５とＣＭＯＳカメラ１０６を作動させる。
【００３６】
ＬＥＤ１０５とＣＭＯＳカメラ１０６は、電子ペン１のペン先部１０３付近に取り付けられている。筐体１０１におけるＬＥＤ１０５とＣＭＯＳカメラ１０６と対向する部分には、開口部１０２が形成されている。ＬＥＤ１０５は、解答用紙５上のペン先部１０３近傍に向けて赤外線を照射する。その領域は、ペン先部１０３が解答用紙５に接触する位置とはわずかにずれている。ＣＭＯＳカメラ１０６は、ＬＥＤ１０５によって照明された領域内におけるドットパターンを撮影し、そのドットパターンの画像データをプロセッサ１０８に供給する。ＣＭＯＳカメラ１０６による撮影領域は、図４に示すような約２ｍｍ×約２ｍｍの大きさを含む範囲である。ＣＭＯＳカメラ１０６の撮影は、毎秒５０〜１００回程度行われる。
【００３７】
カーボンは赤外線を吸収するため、ＬＥＤ１０５によって照射された赤外線は、ドットに含まれるカーボンによって吸収される。そのため、ドットの部分は赤外線の反射量が少なく、ドット以外の部分は赤外線の反射量が多い。ＣＭＯＳカメラ１０６の撮影結果を閾値で判別することによって、カーボンを含むドットの領域とそれ以外の領域を、赤外線の反射量の違いで区別することができる。各欄の枠線を印刷したインキは赤外域に吸収性を持たないため、ドットパターンを容易に認識できる。
【００３８】
プロセッサ１０８は、受講者が記入している間、ＣＭＯＳカメラ１０６によって供給される画像データのドットパターンから、受講者が記入するストローク（一筆跡）の解答用紙５上におけるＸＹ座標（座標データ）を連続的に演算していく。すなわち、プロセッサ１０８は、ＣＭＯＳカメラ１０６によって供給されるドットパターンの画像データをデータ配列に変換し、さらに、Ｘ座標ビット値とＹ座標ビット値に変換したうえで、所定の演算方法により、データ配列からＸＹ座標データとドットパターンアドレスを演算する。そして、プロセッサ１０８は、リアルタイムクロック１１０から発信される現在時刻（タイムスタンプ：記入された時刻情報）と、筆圧データと、ドットパターンアドレスと、ＸＹ座標データとを関連付ける。なお、解答用紙５における６×６のドットパターンは、その解答用紙５内で重複することはないため、受講者が電子ペン１で解答内容を記入すると、記入された位置が解答用紙５のどの位置にあたるかを、プロセッサ１０８による座標演算により特定することができる。
【００３９】
メモリ１０９には、電子ペン１を識別するための電子ペン識別情報が記憶されている。電子ペン１Ａであれば、電子ペンＩＤ（電子ペン識別情報）「ｐｅｎ０１」が、電子ペン１Ｂであれば、電子ペンＩＤ「ｐｅｎ０２」が、電子ペン１Ｃであれば、電子ペンＩＤ「ｐｅｎ０３」が、それぞれメモリ１０９に記憶されている。
【００４０】
通信ユニット１１１は、電子ペンＩＤと、時刻情報（タイムスタンプ）と、筆圧データと、ドットパターンアドレスと、ＸＹ座標データとを関連付けて、記入情報として集約装置３へ直接、又は転送装置２を経由して送信する。通信ユニット１１１による送信は、 Bluetooth（登録商標) 等の無線送信によって、集約装置３へ即時的かつ逐次的に行われる。
【００４１】
各電子ペン１は、受講者が解答用紙５に解答を記入する都度、記入情報を生成して、集約装置３へ送信する。例えば、受講者が電子ペン１のペン先部１０３を解答用紙５に接触（ペン・ダウン）させて、属性記入欄５０１や解答欄５０２〜５０４に記入すると、電子ペン１は、圧力センサ１０７で所定値以上の筆圧が検出されたことにより、解答用紙５への接触を検出する。ＬＥＤ１０５によって赤外線を照射しつつ、ＣＭＯＳカメラ１０６によってドットパターンを撮影する。撮影されたドットパターンの画像データから、解答用紙５への接触位置における座標データとドットパターンアドレスを、プロセッサ１０８によって演算する。プロセッサ１０８は、リアルタイムクロック１１０によって発信された現在時刻を示す時間情報と、ドットパターンアドレスと、座標データと、筆圧データと、電子ペンＩＤとを関連付けた記入情報を生成し、その記入情報を集約装置３へ送信させる。
【００４２】
このように、電子ペン１は、受講者が解答用紙５に記入し続けている間、記入情報を生成し、集約装置３へ送信する。そして、受講者が電子ペン１を解答用紙５から離す（ペン・アップ）と、電子ペン１は、集約装置３への記入情報の送信を中止する。
【００４３】
［転送装置］
図６を参照して転送装置２について説明する。図６に、転送装置２の機能ブロック図と集約装置３の機能ブロック図とを含む進捗管理システム１０のシステム構成図を示す。
【００４４】
図６に示すように、転送装置２は、転送受信手段２１と転送送信手段２２とを備える。転送受信手段２１は、電子ペン１から送信される記入情報等のデータを受信する手段である。転送送信手段２２は、転送受信手段２１によって受信した記入情報等のデータを集約装置３に送信する手段である。転送送信手段２２による集約装置３へのデータの送信は、例えばＬＡＮ経由でＴＣＰ／ＩＰの通信方式により行うと良い。
【００４５】
［集約装置］
続いて、図６を参照して集約装置３について説明する。図６に示すように、集約装置３は、送信手段３０、集約処理手段（処理手段）３１、入力手段３２、集約個別受信手段（受信手段）３３、集約転送受信手段（受信手段）３４、表示手段３５、記憶手段３０１を備える。集約装置３は、ハードウェアとして、電子ペン１やプロジェクター４とのデータ通信が可能な通信装置と、ＣＰＵ等のプロセッサと、ＲＯＭやＲＡＭ、ハードディスクなどのメモリと、ディスプレイと、マウスやキーボード等で構成されているパーソナルコンピュータ等である。
【００４６】
集約個別受信手段３３は、電子ペン１から送信された記入情報等のデータを受信する手段である。集約転送受信手段３４は、転送装置２から転送された記入情報等のデータを受信する手段である。集約個別受信手段３３及び集約転送受信手段３４は、アンテナや受信回路等により構成される。
【００４７】
入力手段３２は、処理や表示の種別を含む処理態様を指示する手段であり、キーボードやマウスなどにより構成される。送信手段３０は、表示手段３５に表示される内容と同じ内容をプロジェクター４に表示させるため、表示手段３５への表示信号を同期してプロジェクター４へ送信する手段である。
【００４８】
記憶手段３０１は、解答用紙５における各欄５０１〜５０４と、それぞれが占める座標領域と、その欄の枠線等の画像データとを関連付けて記憶している。ユーザーエリアの座標領域は、特定の角の座標点（Ｘｎ，Ｙｎ）と、Ｘ方向の幅Ｗｎと、Ｙ方向の高さＨｎとによって定義づけられている。また、記憶手段３０１は、利用者の入力手段３２の操作により選択されたユーザエリア等を後述の「しおり一覧リスト」として記憶する。また、記憶手段３０１は、集約処理手段３１によって演算等された情報を記憶したり、集約個別受信手段３３及び集約転送受信手段３４によって受信された記入情報等を、電子ペンＩＤ（電子ペン識別情報）に基づいて、電子ペン１ごとに記憶する。この記憶手段３０１は、ＲＯＭやＲＡＭ、ハードディスクなどのメモリによって構成されている。
【００４９】
集約処理手段３１は、電子ペン１からのデータを集約して処理する手段であり、アプリケーションプログラムの実行により機能を発揮するＣＰＵ等のプロセッサによって構成されている。この集約処理手段３１は、一覧表示手段３６、選択一覧表示手段３７、詳細記入状況情報表示手段３８、及び記入時間計測手段３９を有する。
【００５０】
一覧表示手段３６は、表示手段３５に対して、解答用紙５への記入状況を電子ペン１ごとに現在記入中の解答欄を一覧表示させる制御手段である。選択一覧表示手段３７は、表示手段３５に対して、解答用紙５のうちの選択された解答欄の現在の記入状況を電子ペン１ごとに一覧表示させる制御手段である。詳細記入状況情報表示手段３８は、解答用紙５の記入欄ごとに記入開始時刻と記入終了時刻と記入時間とを含む詳細記入状況情報を電子ペン１ごとに表示させる制御手段である。記入時間計測手段３９は、解答用紙の記入欄ごとに記入時間を計測する手段である。表示手段３５は、一覧表示手段３６、選択一覧表示手段３７、詳細記入状況情報表示手段３８、記入時間計測手段３９の処理結果に基づいて解答用紙上の各電子ペン１のストロークをリアルタイムに表示する手段であり、ディスプレイ等により構成される。以下、各手段による表示機能について説明する。
【００５１】
［進捗状況一覧表示機能］
図７〜図９を参照して、一覧表示手段３６により実行される進捗状況一覧表示機能について説明する。一覧表示手段３６は、各電子ペン１ごとに、現在受信している記入情報に関する内容が記入された解答欄とその記入内容とを表示手段３５に表示することで、電子ペン１で現在記入中の解答欄とその記入内容とを表示する機能を有する。ここで、図７は、一覧表示機能を説明するための進捗管理システム１０における処理手順を示すフローチャートである。図８は、ある演習授業において、三名の受講者が解答を始めて、ある時間経過した時における各解答用紙５Ａ〜５Ｃの解答記入状況を示す図である。図９は、図８に示す解答記入状況の時点での集約装置３における進捗状況を示す表示画面の図である。
【００５２】
図７に示すように、各電子ペン１Ａ〜１Ｃは、各受講者がそれぞれの解答用紙５Ａ〜５Ｃに所属や名前、解答を記入する都度、記入情報を生成して、集約装置３へ送信する。すなわち、受講者が電子ペン１のペン先部１０３を解答用紙５に接触（ペン・ダウン）させて（Ｓｔｅｐ１）、属性記入欄５０１、解答欄５０２〜５０４に文字を記入するために、ストロークを記入し始めると、電子ペン１は、圧力センサ１０７によって所定値以上の筆圧が検出されたことにより解答用紙５への接触を検出し、ＬＥＤ１０５によって赤外線を照射しつつＣＭＯＳカメラ１０６によりストロークに沿ってドットパターンを撮像し、プロセッサ１０８によって、撮像されたドットパターンの画像データから解答用紙５への接触位置における位置座標データを演算する。そしてプロセッサ１０８は、クロック１１０によって発信された現在時刻を示す時間情報、ドットパターンアドレス、位置座標データ、筆圧データ、及び、電子ペンＩＤを関連付けた記入情報を生成し、その記入情報を通信ユニット１１１に、 Bluetooth（登録商標）方式で集約装置３へ送信させる（Ｓｔｅｐ２）。
【００５３】
このように電子ペン１は、受講者が解答用紙５にストロークを記入し続けている間、記入情報を生成し、集約装置３へ送信する。そして、受講者が電子ペン１を解答用紙５から離す（ペン・アップ）と、電子ペン１は集約装置３への記入情報の送信を中止する（Ｓｔｅｐ３）。そして、受講者が次のストロークを記入するために、再び電子ペン１のペン先部１０３を解答用紙５に接触（ペン・ダウン）させると（Ｓｔｅｐ４）、電子ペン１は、同様の処理により、プロセッサ１０８によって、撮像されたドットパターンの画像データから解答用紙５への接触位置における位置座標データを演算して、クロック１１０によって発信された現在時刻を示す時間情報、ドットパターンアドレス、座標データ、筆圧データ、及び電子ペンＩＤを関連付けた記入情報を生成し、その記入情報を通信ユニット１１１に集約装置３へ送信させる（Ｓｔｅｐ２）。このように、各電子ペン１は、ストロークが受講者によって記入される都度、そのストロークに沿った位置座標を含む記入情報を集約装置３へ送信する。
【００５４】
ここで、電子ペン１が転送装置２を介して記入情報を集約装置３へ送信する場合には、電子ペン１が記入情報を転送装置２へ Bluetooth（登録商標）方式による無線で送信した後、転送装置２が受信した記入情報を、ＬＡＮを経由してＴＣＰ／ＩＰの通信方式により集約装置３へ送信する。
【００５５】
集約装置３では、集約個別受信手段３３又は集約転送受信手段３４によって、電子ペン１から記入情報を受信し、記憶手段３０１に記憶すると（Ｓｔｅｐ５）、集約処理手段３１により、記入情報から電子ペンＩＤを抽出するとともに、記憶手段３０１に記憶されているユーザエリアの座標領域を参照して、記入情報に含まれる位置座標データのユーザーエリアを認識する（Ｓｔｅｐ６）。集約処理手段３１は、ユーザエリアにより、受信した記入情報が属性記入欄５０１に記入された情報を含むのか、解答欄５０２〜５０４のいずれの解答欄に記入された情報を含むのかを認識することができる。
【００５６】
図９は、集約処理手段３１の制御により、進捗状況を表示手段３５に表示させる画面を示す図である。図９の属性記入欄表示領域６０１〜６０３（６００）に示すように、集約処理手段３１は、各解答用紙５Ａ〜５Ｃの属性記入欄５０１に記入された情報を、属性記入欄の枠線の画像データと重ねて、表示手段３５に表示させる。
【００５７】
一覧表示手段３６は、各属性記入欄表示領域６０１〜６０３の下側の領域に、現在受信している記入情報が記載された解答欄の記入内容を表示手段３５に表示することで、受講者によって現在記入されている解答欄の記入内容を表示手段３５に一覧表示させる。これを図７で説明すると、一覧表示手段３６が、各電子ペン１のペンＩＤごとに、これまで受信してきた記入情報から認識していたユーザエリアと同じユーザエリアを認識している場合（Ｓｔｅｐ７：No）は、ウィンドウの各属性記入欄表示領域６０１〜６０３の下側に、そのユーザエリアに該当する解答欄の枠線と、記入情報により認識される手書きの文字、記号等を各解答欄表示領域７０１〜７０３（７００）に表示させる（Ｓｔｅｐ９）。
【００５８】
一方、一覧表示手段３６は、これまで受信してきた記入情報から認識していたユーザエリアと異なるユーザエリアを記入情報から認識した場合（Ｓｔｅｐ８：Yes ）は、その電子ペンＩＤに対応する解答欄表示領域７００を切換えて（Ｓｔｅｐ８）、現在の記入情報から認識しているユーザエリアに該当する解答欄の枠線と、その解答欄における記入情報により認識され  手書きの文字、記号等を各解答欄表示領域７０１〜７０３に表示させる（Ｓｔｅｐ９）。
【００５９】
表示手段３５に表示される表示内容と同じ内容をスクリーンに映し出すため、表示手段３５への表示信号と同じ表示信号が送信手段３０からプロジェクター４へ送信され、プロジェクター４は、集約装置３の表示手段３５に同期して、同じ内容をスクリーンに表示する（Ｓｔｅｐ１１）。このような表示手段３５における記入中の解答欄表示の切り替え（Ｓｔｅｐ５〜Ｓｔｅｐ９）は、一覧表示機能が実行されている間、記入情報を受信する都度行われる( Ｓｔｅｐ１０：Yes)。
【００６０】
図８は、ある演習授業において、「太郎」「次郎」「花子」の三名の受講者がそれぞれ「電子ペン１Ａ」「電子ペン１Ｂ」「電子ペン１Ｃ」を用いて解答を始めて、ある時間経過した時における各解答用紙５Ａ〜５Ｃの解答記入状況を示しており、「太郎」は問３の問題を解答中であり、「次郎」は問１の問題を解答中であり、「花子」は問２の問題を解答中である。このとき、図９に示すように、一覧表示手段３６は、解答欄表示領域７０１には、電子ペン１Ａにより記入された記入情報のうち、現在解答中の問３の解答欄を表示させ、解答欄表示領域７０２には、電子ペン１Ｂにより記入された記入情報のうち、現在解答中の問１の解答欄を表示させ、解答欄表示領域７０３には、電子ペン１Ｂにより記入された記入情報のうち、現在解答中の問２の解答欄を表示させている。
【００６１】
このように、電子ペン１による記入から、電子ペン１による記入情報の送信、集約装置３による記入内容の表示に至るまで、リアルタイムで行われるため、進捗状況一覧表示機能により、集約装置３の利用者（講師等）は、表示手段３５により、各受講者が現在どの解答欄に対して、どのような解答を記入しつつあるかを認識することができ、各受講者の解答の進捗状況を把握することができる。なお、ある受講者が、解答中に、他の受講者の解答を見ることができないように、集約装置３からプロジェクター４への表示信号の送信を行わないようにしても良い。
【００６２】
［通信状態表示機能］
次に、図９や図１１の通信状態表示領域８０１〜８０３（８００）に示す通信状態表示機能について説明する。この通信状態表示領域８０１〜８０３は、電子ペン１と集約装置３との通信状態が視覚的に分かるように、「接続中」または「切断中」と表示する。具体的には、集約処理手段３１は、(1) 電子ペン１にキャップが取り付けられて電子ペン１の電源がオフとなっていることにより、電子ペン１との通信ができない場合、(2) 電子ペン１と集約装置３又は転送装置２との間の距離が Bluetooth（登録商標）の通信可能距離を超え又は障害物により電子ペン１との通信ができない場合、或いは、(3) 電子ペン１のバッテリー１１２が電池切れとなって電子ペン１との通信ができない場合は、その電子ペン１に対応する通信状態表示領域８００に「切断中」と表示させる。その一方、電子ペン１のキャップが取り外されて電子ペン１の電源がオンとなってから、上記切断事由に該当しない間は、集約処理手段３１は、通信状態表示領域８００に「接続中」と表示させる。
【００６３】
この通信状態の表示により、集約装置３の利用者（講師等）は、解答欄表示領域７００の記入が進んでいない場合に、通信状態表示領域８００が「切断中」となっていることを認識できるため、(1) 電子ペン１の電源がオフとなっていないかどうか、(2) 電波切れとなっていないかどうか、或いは (3)電池切れとなっていないかどうか確認し、進捗管理システム１０が正常に作動するよう、スムーズに調整することが可能となる。
【００６４】
［選択一覧表示機能］
次に、図９及び図１０を参照して、選択一覧表示手段３７により実行される選択一覧表示機能について説明する。選択一覧表示機能は、集約装置３の利用者（講師等）が、集約装置３で選択した特定の解答欄を選択的に表示手段３５に表示させる機能である。
【００６５】
図９に示すように、選択一覧表示手段３７は、進捗状況表示ウィンドウにおいて、各解答欄表示領域７０１〜７０３の左側に、選択して別のウィンドウで表示するよう、その解答欄の識別情報を記憶手段３０１に記憶するための「しおりに追加」のチェックボックス９０１〜９０３（９００）を表示させる。
【００６６】
集約装置３の利用者が「しおりに追加」のチェックボックス９００のいずれかをマウスでクリックすると、選択一覧表示手段３７は、そのときのチェックボックス９００の右側に表示されている解答欄に対応するペンＩＤと、解答欄番号と、ユーザエリアとを関連付けて、「しおり一覧リスト」として記憶手段３０１に記憶する。そして、選択一覧表示手段３７は、利用者によって「しおり一覧」表示ボタン９１０がクリックされたと認識すると、記憶手段３０１に記憶している「しおり一覧リスト」を読み出して、表示すべき属性内容と解答欄を特定し、図１０に示すように、「しおり一覧」表示ウインドウにおいて、属性記入欄表示領域６００及び解答欄表示領域７００に、特定された属性内容及び解答内容を表示させる。
【００６７】
ここで、利用者が「受講者順表示」表示ボタン９１１をクリックすると、選択一覧表示手段３７は、「しおり一覧」表示ウインドウにおいて、解答欄を受講者順（ペンＩＤ順）に表示させ、また、利用者が「問題順表示」表示ボタン９１２をクリックすると、選択一覧表示手段３７は、解答欄を問題番号順に表示させる。また、利用者が「しおり削除」表示ボタン９１３をクリックすると、選択一覧表示手段３７は、クリックにより選択された解答欄を記憶手段３０１の「しおり一覧リスト」から削除する。
【００６８】
この選択一覧表示機能により、集約装置３の利用者が、模範解答や添削対象解答など、特定の解答を「しおり一覧リスト」にリスト・アップして、受講者の解答後又は解答中に、集約装置３やプロジェクター４に表示させることができ、受講者の学習効果の向上に役立てることができる。
【００６９】
［詳細記入状況表示機能］
次に、図９、図１１及び図１２を参照して、詳細記入状況情報表示手段３８による詳細記入状況表示機能について説明する。詳細記入状況表示機能は、図９に示す進捗状況表示ウィンドウにおいて、「進捗詳細」表示ボタン９２１がクリックされると、図１１に示すように、詳細記入状況情報表示手段３８が、記入時間計測手段３９と協働して、解答用紙５の解答欄ごとに、記入開始時刻と記入終了時刻と記入時間とを含む詳細記入状況情報を、電子ペン１ごとに表示させる機能である。すなわち、詳細記入状況情報表示手段３８は、図１１に示す進捗詳細情報欄９３１〜９３３に、各電子ペン１について、すなわち受講者ごとに、解答欄（ユーザーエリア）への解答時間（記入時間）と、記入開始時刻と、記入最終時刻を表示する。更新中の箇所が視覚的にわかるように、更新中の場合は、その欄の背景色を変更して表示する。
【００７０】
記入時間計測手段３９は、解答用紙５の解答欄ごとに解答時間（記入時間）を計測する。解答時間は、（記入最終時刻−記入開始時刻−Ｎ−Ｍ−Ｌ）で求める。Ｎは、他の解答欄内に電子ペン１がペン・ダウンされ、再び対象の解答欄内に電子ペン１がペン・ダウンされるまでの時間の総和である。Ｍは、設定値を超えるノンストローク時間（ストロークを記入していない時間）の総和である。Ｌは、無線通信が確立していない時間の総和である。Ｎの時間は、他の解答欄に電子ペン１で記入している時間であり、Ｍの時間は、電子ペン１によりストロークされず解答欄への記入が思考されていない場合もあり、Ｌの時間は、電子ペン１との通信が確立していないのでは、実際に解答に費やされた時間であるかどうか不明であるため、これらＮ、Ｍ、Ｌの時間は、その解答欄の記入に当てられた時間ではないと考えうるので、解答時間から差し引いて除外している。解答時間を計測することにより、受講者が各解答欄に解答するために要している解答時間を知ることができ、解答状況を把握することができる。
【００７１】
図１２に、解答時間の計算例を示す。問３の解答欄（ユーザーエリア＃３）と問２の解答欄（ユーザーエリア＃２）への記入があった場合に、問３の解答欄への途中までの記入時間を求める方法の例である。ノンストローク時間の検出閾値Ｋを６０秒に設定しておく。Ｎ、Ｍ、Ｌの初期値は０にしておく。記入時間計測手段３９は、問３の解答欄への記入開始時刻を記憶して記入時間の計測を開始する。そして、問３の解答欄への記入が続く間、記入終了時刻をリアルタイムに更新しつつ記憶する。記入時間計測手段３９は、ノンストローク時間が６０秒を超えると、Ｍに６０を加算すると共にその時刻をノンストローク計測開始時刻として記憶して、次の記入開始まで、ノンストローク時間を計測する。記入する解答欄が問２の解答欄に変わると、記入時間計測手段３９は、問２の解答欄への記入時間を計測する。電子ペン１のキャップを閉めて記入を停止すると、記入時間計測手段３９は、不通信時間の計測を開始する。問３の解答欄への記入が再開されると、記入時間計測手段３９は、記入終了時刻をリアルタイムに更新しつつ記憶する。そして、「進捗詳細」表示ボタン９２１がクリックされると、記入時間計測手段３９は、解答時間を計算する。なお、記入時間計測手段は、記入終了時刻の記憶と同時にリアルタイムに解答時間を計算することとしてもよい。
【００７２】
このように、記入時間計測手段３９は、電子ペン１の記入位置と時刻から、解答欄におけるストロークの延べ時間を積算して、受講者の各設問に対する解答時間を計測する。そして、記入時間計測手段３９は、各受講者の解答状況をリアルタイムに表にして画面に表示する。なお、表の代わりに、グラフなどで表示してもよい。この機能により、講師は、受講者の各設問に対する解答時間を計測した結果に基づいて、受講者が、どの問題につまずいているのか、どの問題が平均的に難しいのかを分析することができ、教室内を移動することなく、各受講者の解答の進捗状況を確認できるので、同時に多くの受講者に対して個別指導できる。例えば、１つの問題に一定時間以上かけている受講者については、その解答状況を自動的に画面に表示して、個別に指導することができる。
【００７３】
上記のように、本第１実施形態では、進捗管理システム１０を、問題演習授業の受講者の電子ペン１からの記入情報を、直接または転送装置２経由で集約装置３に転送して集約処理し、各受講者の解答状況をリアルタイムに集約装置３で一覧表示する構成としたので、受講者それぞれの解答の進捗状況を同時にリアルタイムで把握できる。
【００７４】
＜第２実施形態＞
次に第２実施形態について説明する。第２実施形態は、本進捗管理システムを、結婚披露宴会場でテーブルごとに出席者が寄せ書きをする際に利用するものである。第２実施形態の説明において、第１実施形態と同様の構成については、第１実施形態で付した符号と同じ符号を付し、共通する処理・機能の説明は省略する。
【００７５】
図１３に示すように、結婚披露宴会場の各テーブルに、寄せ書き用にメッセージ・シート５−Ａ〜５−Ｂ（５）が配られている。各テーブルでは、電子ペン１Ａ〜１Ｃをそれぞれ用い、各テーブルごとに、複数の出席者がメッセージ・シート５に寄せ書きする。各電子ペン１Ａ〜１Ｃは、 Bluetooth（登録商標）の通信方式により、集約装置３へ記入情報を送信する。集約装置３では、第１実施形態における一覧表示手段３６による進捗状況一覧表示機能が実行される。集約装置３は、表示情報をプロジェクター４へ送信し、集約装置３と同じ表示内容が出席者に披露されるようスクリーンへ映し出される。
【００７６】
図１４は、ある時点におけるメッセージ・シート５−Ａ〜５−Ｂへの寄せ書き状況を示す図である。メッセージ・シート５には、アノト方式により、電子ペン１の筆記に応じて位置座標が演算されるように、赤外線吸収インキによりドットパターン（コード化パターン）が印刷されている。図１４に示すように、各メッセージ・シート５は、グループ名を記入するグループ記入欄１００１と、各人の記入用に氏名記入欄１００２とメッセージ記入欄１００３とが複数印刷されている。そして、各記入欄１００１〜１００３に対応して、第１実施形態と同様に、集約装置３においてユーザエリア情報が設定され記憶されている。図１４に示す時点においては、メッセージ・シート５−Ａには、４段目の記入欄１００２，１００３に記入されている最中であり、メッセージ・シート５−Ｂには、２段目の記入欄１００２，１００３に記入されている最中であり、メッセージ・シート５−Ｃには、３段目の記入欄１００２，１００３に記入されている最中である。
【００７７】
図１５は、一覧表示手段３６による進捗状況一覧表示機能が実行されている集約装置３の画面を示す図である。図１５に示すように、一覧表示手段３６は、表示手段３５のグループ表示領域１０１１に、各メッセージ・シート５に記入されたグループ名を表示させ、メッセージ表示領域１０１２に、現在、各メッセージ・シート５で記入している最中の氏名記入欄１００２とメッセージ記入欄１００３の記入内容をリアルタイムで表示させる。
【００７８】
このように、現時点に記入されているメッセージ記入欄等を各メッセージ・シート５について、集約装置３を介してプロジェクター４でスクリーンに映し出していくことにより、出席者は、各テーブルの出席者が記入しているメッセージを連続的に見ることができる。
【００７９】
なお、本発明は、上記実施形態に限られない。
【００８０】
上記実施形態において、進捗状況一覧表示機能等に加え、解答用紙ないしメッセージ・シートの全面を集約装置３の表示手段３５に表示できる機能を付加してもよい。また、各解答用紙ないしメッセージ・シートの集約装置３における区別は、記入情報を送信する電子ペン１の電子ペンＩＤによって行われたが、これに限らず、解答用紙ないしメッセージ・シートごとに異なるパターンのドットパターンを採用してドットパターンを区別するドットパターンアドレスを付与し、ドットパターンの相異により各解答用紙等を集約装置３で区別するよう構成してもよい。また、通信状態表示機能として「接続中」または「切断中」と表示することとしたが、さらに、「記入中」という表示により、記入が行なわれて記入情報を受信している状態と通信が確立しているだけの状態（接続中）とを細分して表示するようにしてもよく、いずれか１つのみ表示するようにしてもよい。また、電子ペン１は、現在時刻を示す時間情報、ドットパターンアドレス、位置座標データ、筆圧データ、及び、電子ペンＩＤを関連付けた記入情報を生成して送信したが、記入情報を構成する情報のうち、位置座標データがストロークを認識するうえで重要であり、他の情報は、システムの構成によっては必須の情報としていなくともよい。
【００８１】
また、上記第１実施形態で、記入時間計測手段３９により解答時間（記入時間）を計測する際に、記入開始時刻から記入最終時刻までの時間から、他の解答欄内に電子ペン１がペン・ダウンされ、再び対象の解答欄内に電子ペン１がペン・ダウンされるまでの時間の総和（Ｎ）、設定値を超えるノンストローク時間（ストロークを記入していない時間）の総和（Ｍ）、及び無線通信が確立していない時間の総和（Ｌ）を差し引いて、解答時間を求めたが、システムの構成を考慮して、Ｎ、Ｍ、Ｌのいずれか一つでも差し引くことにより、解答時間を求めるようにしてもよい。
【産業上の利用可能性】
【００８２】
本発明に係る進捗管理システムは、問題演習の授業などにおいて、多数の受講者の解答状況を同時に個別にリアルタイムに把握して個別に指導することで、理解度を向上させて積極性を引き出す教育システムとして最適である。また、企業研修や学校教育などの教育システムに限らず、会議や、リサーチ業務や、クイズ番組などのテレビプログラムや、手書き情報を収集するイベント（寄せ書き）など、複数の者による情報共有や相互意見交換を行うためのシステムとしても利用できる。
【符号の説明】
【００８３】
１…電子ペン、２…転送装置、３…集約装置（端末装置）、４…プロジェクター、５…解答用紙、６…スクリーン、２１…転送受信手段、２２…転送送信手段、３１…集約処理手段、３２…入力手段、３３…集約個別受信手段、３４…集約転送受信手段、３５…表示手段、３６…一覧表示手段、３７…選択一覧表示手段、３８…詳細記入状況情報表示手段、３９…記入時間計測手段、１０１…筐体、１０２…開口部、１０３…ペン先部、１０４…インクカートリッジ、１０５…ＬＥＤ、１０６…ＣＭＯＳカメラ、１０７…圧力センサ、１０８…プロセッサ、１０９…メモリ、１１０…リアルタイムクロック、１１１…通信ユニット、１１２…バッテリー。
【図１】
0005483266.tif 000002
【図２】
0005483266.tif 000003
【図３】
0005483266.tif 000004
【図４】
0005483266.tif 000005
【図５】
0005483266.tif 000006
【図６】
0005483266.tif 000007
【図７】
0005483266.tif 000008
【図８】
0005483266.tif 000009
【図９】
0005483266.tif 000010
【図１０】
0005483266.tif 000011
【図１１】
0005483266.tif 000012
【図１２】
0005483266.tif 000013
【図１３】
0005483266.tif 000014
【図１４】
0005483266.tif 000015
【図１５】
0005483266.tif 000016